(57)【要約】【課題】  高感度方向（指向性）を有する放送受信用のアンテナを用い、このアンテナの高感度方向が向けられるべき方向をユーザーに対して指し示すことができる携帯型放送受信装置を提供する。【解決手段】  システムコントローラ１３は、電子コンパス１６の出力である方向角（θ１）と現在位置に対する放送送信局の方向角（θ２）とを用いて前記演算処理を行うことにより、放送受信用のアンテナ１の高感度方向に対する放送送信局の方向を示す表示角情報（θ２−θ１）を生成することができる。そして、システムコントローラ１３は、ＯＳＤ機能を用いてＬＣＤモニタ７の例えば右上隅に矢印マークを表示するとともに、この矢印マークの指し示す方向を前記表示角情報（θ２−θ１）に基づいて傾ける処理を行う。【選択図】        図１
2006311338.tif 000002
【特許請求の範囲】
【請求項１】
地上ディジタル放送を受信するためのアンテナ及びチューナと、
地域ごとの放送送信局の位置を示す送信局位置情報を有した送信局位置データベースと、
受信した放送からその放送の地域識別を取得してどの地域の放送であるかを判断するとともに当該判断した地域の放送送信局の位置を前記送信局位置データベースから取得する手段と、
携帯型放送受信装置の現在位置を示す情報を出力するＧＰＳ機能部と、
携帯型放送受信装置の基準方向がどの方位を向いているかを示す第１情報を出力するコンパス部と、
携帯型放送受信装置の現在位置と放送送信局の位置とに基づいて、現在位置に対する放送送信局の方向角を示す第２情報を出力する方向角演算部と、
携帯型放送受信装置の基準方向と前記アンテナの高感度方向とのなす角度を示す情報と、前記第１情報と、前記第２情報とに基づいて、前記アンテナの高感度方向を基準にした放送送信局の方向角を示す第３情報を出力する情報出力部と、
前記第３情報に基づいて、前記アンテナの高感度方向を前記放送送信局の方向に向けさせるための方向表示を行うインジケータと、
を備えたことを特徴とする携帯型放送受信装置。
【請求項２】
請求項１に記載の携帯型放送受信装置において、前記インジケータによる方向表示は、受信した放送映像を表示するためのディスプレイ上で行われることを特徴とする携帯型放送受信装置。
【請求項３】
請求項１に記載の携帯型放送受信装置において、前記インジケータは、受信した放送映像を表示するためのディスプレイとは異なる表示部を有して構成されることを特徴とする携帯型放送受信装置。
【請求項４】
請求項１に記載の携帯型放送受信装置において、３×３個の数字キーのうち縁側８個の数字キーが発光素子によって照明されるように構成されており、前記インジケータによる方向表示は、前記８個の数字キーのいずれかのキーを前記発光素子で照明することによって行われることを特徴とする携帯型放送受信装置。
【請求項５】
請求項１乃至請求項４のいずれかに記載の携帯型放送受信装置において、前記インジケータによる方向表示処理は、方向表示を要求するユーザー操作を検出したときに行うことを特徴とする携帯型放送受信装置。
【請求項６】
請求項１乃至請求項４のいずれかに記載の携帯型放送受信装置において、前記インジケータによる方向表示処理は、前記アンテナの高感度方向と前記放送送信局の方向とが所定角度以上であるときに自動的に行われることを特徴とする携帯型放送受信装置。
【請求項７】
請求項６に記載の携帯型放送受信装置において、前記アンテナの高感度方向と前記放送送信局の方向とが所定角度以上であっても、放送受信による映像表示が行えているときには、前記インジケータによる方向表示処理を実行しないことを特徴とする携帯型放送受信装置。
【請求項８】
請求項１乃至請求項４のいずれかに記載の携帯型放送受信装置において、前記インジケータによる方向表示処理は、放送受信による映像表示が行えなくなったときに自動的に行われることを特徴とする携帯型放送受信装置。
【発明の詳細な説明】
【技術分野】
【０００１】
この発明は、地上ディジタル放送を受信する携帯型放送受信装置に関する。
【背景技術】
【０００２】
地上波ディジタル放送を受信するディジタル放送受信装置は、地上波アンテナを通して受け取った複数の放送波のなかから任意の放送波をディジタルチューナによって選択し、この選択した放送波に含まれる複数のチャンネルのなかから任意のチャンネルをデマルチプレクス処理によって選択し、この選択したチャンネルのディジタル信号を取り出し、これをデコードすることによって映像及び音声信号を出力する。
【０００３】
ところで、地上波ディジタル放送を受信する上でアンテナの役目は重要である。車載用のディジタル放送受信装置に関してではあるが、ＧＰＳ機能を用いた受信機位置情報と送信所の位置情報とを用いて、アンテナをモーターで適切な方向に向ける技術が開示されている。（特許文献１参照）。
【特許文献１】特開平７−１７０４６４号公報
【発明の開示】
【発明が解決しようとする課題】
【０００４】
しかしながら、携帯型放送受信装置においては、上記特許文献に開示されたモーターによるアンテナ駆動を行うことは現実的ではない。一方、特に指向性を持たないアンテナを用いるとすれば、アンテナの向きによる受信の影響を軽減することができるが、無指向性のアンテナでは一般に電波受信性能を高くすることはできない。
【０００５】
この発明は、上記の事情に鑑み、高感度方向（指向性）を有する放送受信用のアンテナを用い、このアンテナの高感度方向が向けられるべき方向をユーザーに対して指し示すことができる携帯型放送受信装置を提供することを目的とする。
【課題を解決するための手段】
【０００６】
この発明の携帯型放送受信装置は、上記課題を解決するために、地上ディジタル放送を受信するためのアンテナ及びチューナと、地域ごとの放送送信局の位置を示す送信局位置情報を有した送信局位置データベースと、受信した放送からその放送の地域識別を取得してどの地域の放送であるかを判断するとともに当該判断した地域の放送送信局の位置を前記送信局位置データベースから取得する手段と、携帯型放送受信装置の現在位置を示す情報を出力するＧＰＳ機能部と、携帯型放送受信装置の基準方向がどの方位を向いているかを示す第１情報を出力するコンパス部と、携帯型放送受信装置の現在位置と放送送信局の位置とに基づいて、現在位置に対する放送送信局の方向角を示す第２情報を出力する方向角演算部と、携帯型放送受信装置の基準方向と前記アンテナの高感度方向とのなす角度を示す情報と、前記第１情報と、前記第２情報とに基づいて、前記アンテナの高感度方向を基準にした放送送信局の方向角を示す第３情報を出力する情報出力部と、前記第３情報に基づいて、前記アンテナの高感度方向を前記放送送信局の方向に向けさせるための方向表示を行うインジケータと、を備えたことを特徴とする。
【０００７】
上記の構成であれば、高感度方向（指向性）を有する放送受信用のアンテナを用い、このアンテナの高感度方向が向けられるべき方向を、前記インジケータによってユーザーに対して指し示すことができる。
【０００８】
上記構成の携帯型放送受信装置において、前記インジケータによる方向表示は、受信した放送映像を表示するためのディスプレイ上で行われることとしてもよい。或いは、上記構成の携帯型放送受信装置において、前記インジケータは、受信した放送映像を表示するためのディスプレイとは異なる表示部を有して構成されていてもよい。或いは、上記構成の携帯型放送受信装置において、３×３個の数字キーのうち縁側８個の数字キーが発光素子によって照明されるように構成されており、前記インジケータによる方向表示は、前記８個の数字キーのいずれかのキーを前記発光素子で照明することによって行われることとしてもよい。
【０００９】
これら構成の携帯型放送受信装置において、前記インジケータによる方向表示処理は、方向表示を要求するユーザー操作を検出したときに行うこととしてもよい。
【００１０】
或いは、これら構成の携帯型放送受信装置において、前記インジケータによる方向表示処理は、前記アンテナの高感度方向と前記放送送信局の方向とが所定角度以上であるときに自動的に行われることとしてもよい。かかる構成において、前記アンテナの高感度方向と前記放送送信局の方向とが所定角度以上であっても、放送受信による映像表示が行えているときには、前記インジケータによる方向表示処理を実行しないこととしてもよい。
【００１１】
或いは、これら構成の携帯型放送受信装置において、前記インジケータによる方向表示処理は、放送受信による映像表示が行えなくなったときに自動的に行われることとしてもよい。
【発明の効果】
【００１２】
以上説明したように、この発明によれば、高感度方向（指向性）を有する放送受信用のアンテナを用い、このアンテナの高感度方向が向けられるべき方向をユーザーに対して指し示すことができる。これにより、携帯型放送受信装置において、アンテナの高感度方向を活かして快適に放送視聴が行えるという効果を奏する。
【発明を実施するための最良の形態】
【００１３】
以下、この発明の実施形態の携帯型放送受信装置を図１乃至図６に基づいて説明する。
【００１４】
アンテナ１は地上ディジタル放送を受信し、受信した信号を地上波ディジタルチューナ２に与える。このアンテナには高感度方向（指向性）が存在する。
【００１５】
地上波ディジタルチューナ２は、映像音声データを含む高周波ディジタル変調信号のうちから特定周波数の信号を取り出す。また、地上波ディジタルチューナ２は、復調回路、逆インタリーブ回路、誤り訂正回路などを備え、選択したディジタル変調信号を復調してトランスポート・ストリームを出力する。
【００１６】
デマルチプレクサ（ＤＥＭＵＸ）３は、前記トランスポート・ストリームを、ＭＰＥＧ２（Ｍｏｖｉｎｇ  Ｐｉｃｔｕｒｅ  Ｅｘｐｅｒｔｓ  Ｇｒｏｕｐ２）のビデオストリーム、オーディオストリーム、及びＰＳＩ／ＳＩ（Ｐｒｏｇｒａｍ  Ｓｐｅｃｉｆｉｃ  Ｉｎｆｏｒｍａｔｉｏｎ／Ｓｅｒｖｉｃｅ  Ｉｎｆｏｒｍａｔｉｏｎ）や放送情報（地域識別子，サービス種別，放送局識別，サービス番号等）に分離する。デマルチプレクサ３は、ビデオストリームとオーディオストリームをＡＶデコーダ４に供給し、ＰＳＩ／ＳＩや放送情報等をシステムコントローラ１３に供給する。
【００１７】
ＡＶデコーダ４は、ビデオストリームに対してデコードを行うビデオデコーダ、及びオーディオストリームに対してデコードを行うオーディオデコーダを備える。ビデオデコーダは、入力された可変長符号を復号して量子化係数や動きベクトルを求め、逆ＤＣＴ変換や動きベクトルに基づく動き補償制御などを行う。オーディオデコーダは、入力された符号化信号を復号して音声データを生成する。デコードにより生成された映像データはグラフィックスコントローラ５に出力され、音声データは音声処理回路６に出力される。
【００１８】
グラフィックスコントローラ５はＡＶデコーダ４から供給された映像データに対して各種の映像処理を行う。例えば、システムコントローラ１３から出力指示された文字情報や色情報に基づく映像データを生成するとともに、この映像データをＡＶデコーダ４から出力される受信映像データに組み込む処理（オンスクリーンディスプレイ（ＯＳＤ）処理）を行う。このオンスクリーンディスプレイ処理により、メニュー画面や各種設定画面などの表示、さらには、後述するインジケータ処理に基づく方向表示が行えることになる。音声処理回路６はＡＶデコーダ４から出力された音声データを受け取ってＤ／Ａ変換を行い、アナログ音声信号を生成する。前記映像データはＬＣＤモニタ７に供給され、前記音声信号はスピーカ８に供給される。
【００１９】
メモリ１４におけるフラッシュＲＯＭには、ＰＳＩ／ＳＩに基づく番組情報や放送情報が格納される他、地上ディジタル放送の放送送信局の位置情報データベース１４ａが格納されている。
【００２０】
操作部１５には、十字キー（方向キー）、数字キー、機能キーなどが配置されている。
【００２１】
電子コンパス１６は、例えば、ｘ方向成分磁気センサとｙ方向成分磁気センサとによってそれぞれ地磁気を検出し、両成分に基づいて北（Ｎ）方向に対する傾き（方向角）を示す情報を出力する。
【００２２】
ＧＰＳアンテナ１８はＧＰＳ衛星からのＧＰＳ電波信号を受信し、この受信信号をＧＰＳ機能部１７に供給する。ＧＰＳ機能部１７は、前記ＧＰＳ電波信号に基づいて現在位置情報（緯度，経度）を生成し、この現在位置情報をシステムコントローラ１３に供給する。
【００２３】
携帯電話機能部１９は携帯型放送受信装置１００を携帯電話として機能させるときに動作する。携帯電話のアンテナ２０は放送受信用のアンテナ１とは別個に設けられている。
【００２４】
システムコントローラ１３は、携帯型放送受信装置１００における全体制御を行うものであるが、この制御に加えて、チャンネルスキャン処理、リモートコントロールキーＩＤ等の情報取得処理、選局ボタンの割当処理等を行うとともに、特にこの発明にかかる処理として、携帯型放送受信装置１００の向けるべき方向を指し示すインジケータ処理を行う。
【００２５】
（チャンネルスキャン処理）
例えば、携帯型放送受信装置１００の毎日の初回電源投入時、これまで受信できていた放送が受信できなくなったとき、ユーザによるチャンネルスキャン指令を受けたとき、或いは所定時間ごと等に、システムコントローラ１３はチャンネルスキャンを実行する。システムコントローラ１３は、チューナ２に地上ディジタル放送が送信されるＵＨＦ帯域の最も低い周波数を選局させて有局判定を行う。有局（ディジタル放送有り）と判断した場合には、その周波数情報、受信したトランスポートストリームから分離した付属情報（サービス識別、番組情報等）を抽出し、メモリに記憶する。この処理を、順次周波数を上げて最も高い周波数まで続ける（例えば、１２ｃｈ乃至６１ｃｈまで）。前記付属情報中のサービス識別は、例えば、６ビットの地域識別（area code ）と、３ビットのサービス種別と、４ビットの地域事業者識別と、３ビットのサービス番号とから成り、トランスポートストリームからＰＳＩを分離し、そのなかのＮＩＴ（Ｎｅｔｗｏｒｋ  Ｉｎｆｏｒｍａｔｉｏｎ  Ｔａｂｌｅ）から取り出すことができる。
【００２６】
（リモートコントロールキーＩＤの取得処理）
上述したチャンネルサーチに際し、有局の周波数において、トランスポートストリームからＰＳＩを分離し、そのなかのＮＩＴ（Ｎｅｔｗｏｒｋ  Ｉｎｆｏｒｍａｔｉｏｎ  Ｔａｂｌｅ）からリモートコントロールキーＩＤを取り出す。
【００２７】
（選局ボタンの割当処理）
選局ボタンの割当処理は、前記リモートコントロールキーＩＤに基づいて自動実行することによりできる。すなわち、○○放送局がリモートコントロールキーＩＤとして「４」をトランスポートストリームに付加して送信することにより、ディジタルチューナユニット３０は、前記トランスポートストリームを受信してリモートコントロールキーＩＤを取得し、選局ボタン「４」に○○放送局を設定する（○○放送局を受信するための周波数情報及びトランスポートストリームＩＤを選局ボタン「４」に対応付ける）。以後、ユーザによって選局ボタン「４」が操作されると、○○放送局の放送が選局されるようになる。また、選局ボタンの割当処理は、ユーザー操作で各選局ボタンに個別に放送局等を割り当てることによってもできる。すなわち、このような情報によってチャンネルリストが作成される。
【００２８】
（地域識別（area code ）に基づく放送送信局の位置判定処理）
メモリ１４のフラッシュＲＯＭには、先にも述べたが、図２に示すように、各地域識別情報とチャンネル（例えば、リモートコントロールキーＩＤ）と放送送信局の位置情報とを対応付けた位置情報テーブル１４ａが格納されている。例えば、「地域識別＝４０（大阪）」「リモートコントロールキーＩＤ（チャンネル）＝２」「緯度（Ｘ）＝Ａ１，経度（Ｙ）＝Ｂ１」のごとく対応付けられた情報があるとすると、大阪で２チャンネルの地上ディジタル放送を送信している放送送信局は、（Ｘ＝Ａ１，Ｙ＝Ｂ１）で示される位置に存在するということをシステムコントローラ１３は認識できることになる。
【００２９】
（インジケータ処理）
ここで、この実施形態では、携帯型放送受信装置１００の基準方向は、図３に示すように、携帯型放送受信装置１００の縦方向としている。そして、前記アンテナ１の高感度方向を携帯型放送受信装置１００の縦方向（基準方向）に一致させている。すなわち、携帯型放送受信装置１００の基準方向と前記アンテナ１の高感度方向とのなす角度は０度である。電子コンパス１６が北を指すとき（ここで、電子コンパスの出力（θ１）が０度であるとき北を指すとする）、携帯型放送受信装置１００の基準方向（前記アンテナ１の高感度方向）は北となる。更に述べれば、電子コンパスの出力（θ１）が１５度であれば、前記アンテナ１の高感度方向は北から東の方向に１５度傾いていることになる。
【００３０】
現在受信しているチャンネルの放送送信局の位置情報（緯度，経度）は位置情報テーブル１４ａにて取得することができ、現在位置（緯度，経度）は、ＧＰＳ機能部１７にて取得することができる。両位置情報に基づいて現在位置に対する前記放送送信局の方向情報（例えば、この方向情報は、北を基準とした放送送信局方向の方向角であり、この方向角をθ２とする）を算出することができる。例えば、携帯型放送受信装置１００の現在位置を「（Ｘ１，Ｙ１）」とし、放送送信局の位置を「（Ｘ２，Ｙ２）」とする。このとき、ｔａｎθ２＝（Ｙ２−Ｙ１）／（Ｘ２−Ｘ１）とすれば、そのアークタンジェントを求めることでθ２が得られる。更に述べれば、システムコントローラ１３は、携帯型放送受信装置１００の基準方向と前記アンテナ１の高感度方向とのなす角度を示す情報（先述のように、この実施例では０度としている）と、前記方向角θ１（第１情報）と、前記方向角θ２（第２情報）とに基づいて、前記アンテナ１の高感度方向を基準にした放送送信局の方向角を示す表示角情報を出力するすることができる。
【００３１】
ここで、現在位置に対する前記放送送信局の方向が北に対して東の方向に３０度傾いているとする。そして、前記アンテナ１の高感度方向は北に向いていたとする。この場合、携帯型放送受信装置１００の基準方向を北に対して東の方向に３０度傾ければ、アンテナ１の高感度方向は放送送信局の方向に向くことになる。すなわち、θ２−θ１の演算処理を行えば、北に対して前記基準方向を何度傾ければよいかが判断できる。
【００３２】
システムコントローラ１３は、電子コンパスの出力である方向角（θ１）と現在位置に対する前記放送送信局の方向角（θ２）とを用いて前記演算処理を行うことにより、前記アンテナ１の高感度方向に対する放送送信局の方向を示す表示角情報（θ２−θ１）を生成することができる。そして、システムコントローラ１３は、ＯＳＤ機能を用いてＬＣＤモニタ７の例えば右上隅に矢印マークを表示するとともに、この矢印マークの指し示す方向を前記基準方向に対して表示角情報（θ２−θ１）に基づく角度だけ傾ける処理を行う。なお、前記アンテナ１の高感度方向と携帯型放送受信装置１００の基準方向とが一致していない場合（前記アンテナ１の高感度方向と前記電子コンパス１６の北方向とが一致していない場合）には、その不一致の分の修正を前記表示角情報（θ２−θ１）に対して行えばよい。
【００３３】
図４には、上記ＯＳＤ処理による矢印マークの表示状態を示している。（ａ）に示す状態では、前記アンテナ１の高感度方向が放送送信局の方向を向いていない状態であり、矢印マークは携帯型放送受信装置１００の前記基準方向に対して傾いて表示される。なお、このような場合に、前記ＯＳＤ機能を用いてＬＣＤモニタ７上に「×」印を表示することとしてもよい。（ｂ）に示す状態では、前記アンテナ１の高感度方向が放送送信局の方向を向いている状態であり、矢印マークは前記基準方向と同方向を向くように表示される。なお、このような場合に、前記ＯＳＤ機能を用いてＬＣＤモニタ７上に「○」印を表示することとしてもよい。また、放送波の受信レベル（受信電界強度等）をＬＣＤモニタ７上に表示してもよい。
【００３４】
上述したインジケータ処理（矢印表示）は、ユーザーが「インジケータ処理」を要求した場合に（例えば、メニューからの選択、或いは特定ボタンの押下等）、実行することとしてもよい。
【００３５】
或いは、上述したインジケータ処理（矢印表示）は、前記表示角情報（θ２−θ１）が第１所定角度（例えば、３０度）以上を示したときに自動的に行う一方、その後に、前記表示角情報（θ２−θ１）が第２所定角度（この第２所定角度は、前記第１所定角度と一致する角度である必要はなく、例えば、１０度程度とすることができる）よりも小さくなったときに自動的に停止するようにしてもよい。前記表示角情報（θ２−θ１）が前記第１所定角度以上となった場合でも、放送受信による映像表示が行えているときには前記インジケータ処理（矢印表示）を実行しないようにしてもよい。また、前記インジケータ処理（矢印表示）を、放送受信による映像表示が行えなくなったときに自動的行い、放送受信による映像表示が行えるようになったときに前記インジケータ処理（矢印表示）を自動的に終了する構成を採用してもよい。
【００３６】
また、上記の例では、受信映像を表示するＬＣＤモニタ７を用いて方向表示を行ったが、ＬＣＤモニタ７とは別に、図５に示すように、棒状の８つのセグメント（液晶或いは発光素子）を互いの内角が４５度となるように環状に配置した方向表示部を設け、この方向表示部を用いて方向表示を行うこととしてもよい。また、図６に示すように、３×３個の数字キーのうち縁側８個の数字キーが発光素子によって照明されるように構成し（キーを透明或いは半透明部材に構成し、内部にＬＥＤ（発光ダイオード）等を設けておく）、インジケータ処理（方向表示）は、前記８個の数字キーのいずれかのキーを前記発光素子で照明することで行われることとしてもよい。図５及び図６の構成による方向表示では、前記表示角情報（θ２−θ１）が例えば４５度を中心に±２２．５度の範囲にあるときには、右上斜めに位置するセグメントを表示又はキーを照明すればよい。
【図面の簡単な説明】
【００３７】
【図１】この発明の実施形態の携帯型放送受信装置を示したブロック図である。
【図２】送信局位置情報データベースを示した説明図である。
【図３】携帯型放送受信装置の外観を示した説明図である。
【図４】インジケータ処理の概要を示した説明図である。
【図５】方向表示部の一例を示した説明図である。
【図６】数字キーを方向表示部として用いる場合の説明図である。
【符号の説明】
【００３８】
１    アンテナ
２    チューナ
３    デマルチプレクサ（ＤＥＭＵＸ）
４    ＡＶデコーダ
５    グラフィックスコントローラ
１３  システムコントローラ
１４  メモリ
【図１】
2006311338.tif 000003
【図２】
2006311338.tif 000004
【図３】
2006311338.tif 000005
【図４】
2006311338.tif 000006
【図５】
2006311338.tif 000007
【図６】
2006311338.tif 000008